(57)【特許請求の範囲】
【請求項１】
グリル庫内の上部から下方に向けて熱を輻射する熱源と、グリル庫内の下部に設置される、被調理物を直置きする金属製の焼皿とを備えるグリルにおいて、
焼皿の横方向両側に、焼皿の被調理物載置部から熱源の熱輻射部までの高さの１／２以上の高さまで上方にのびる受熱板部が設けられ、熱源からの輻射熱の一部が受熱板部に入射されるようにしたことを特徴とするグリル。
【請求項２】
前記受熱板部は、少なくとも上部が上方に向かって横方向外側に傾斜していることを特徴とする請求項１記載のグリル。
【請求項３】
前記焼皿は、前記被調理物載置部と前記各受熱板部との間に、被調理物載置部よりも下方に窪んだ窪み部を有していることを特徴とする請求項１又は２記載のグリル。
【発明の詳細な説明】
【技術分野】
【０００１】
本発明は、被調理物を上下から加熱できる所謂両面焼き機能を有するグリルに関する。
【背景技術】
【０００２】
従来、この種のグリルでは、一般的に、グリル庫内の上部から下方に向けて熱を輻射する熱源たる上火バーナと、被調理物を載せる焼網より下方位置に配置した下火バーナとを備え、上火バーナで被調理物を上方から加熱し、下火バーナで被調理物を下方から加熱するようにしている（例えば、特許文献１参照）。然し、下火バーナは、これに被調理物からの焼き汁が落下しないよう、グリル庫の側部に配置されるため、下火バーナで被調理物を効率よく加熱することは困難であり、省エネルギー化を図る上で障害になっている。
【０００３】
そこで、従来、特許文献２により、下火バーナを設けずに、グリル庫内の下部に被調理物を直置きする金属製の焼皿を設置したものも知られている。このものでは、上火バーナからの輻射熱のうち被加熱物に入射されなかった輻射熱が焼皿に入射され、この輻射熱により焼皿を介して間接的に被調理物が下方から加熱されることになる。従って、下火バーナを設けずに両面焼き機能を得られ、省エネルギー化を図ることができる。
【０００４】
然し、特許文献２に記載のものでは、焼皿上の被調理物の占有面積が広くなると、焼皿に入射される輻射熱が減少して、両面焼き機能を十分には得られなくなってしまう。
【先行技術文献】
【特許文献】
【０００５】
【特許文献１】特開平８−５４１０７号公報
【特許文献２】特開２００７−２４８号公報
【発明の概要】
【発明が解決しようとする課題】
【０００６】
本発明は、以上の点に鑑み、焼皿上の被調理物の占有面積が広くなっても、下火バーナを設けずに両面焼き機能を十分に得られるようにしたグリルを提供することをその課題としている。
【課題を解決するための手段】
【０００７】
上記課題を解決するために、本発明は、グリル庫内の上部から下方に向けて熱を輻射する熱源と、グリル庫内の下部に設置される、被調理物を直置きする金属製の焼皿とを備えるグリルにおいて、焼皿の横方向両側に、焼皿の被調理物載置部から熱源の熱輻射部までの高さの１／２以上の高さまで上方にのびる受熱板部が設けられ、熱源からの輻射熱の一部が受熱板部に入射されるようにしたことを特徴とする。
【０００８】
本発明によれば、熱源からの輻射熱により被調理物が上方から加熱されると共に、熱源からの輻射熱の一部が受熱板部に入射されて、受熱板部からの熱伝導により焼皿の被調理物載置部が高温になり、被調理物が下方から加熱される。従って、焼皿上の被調理物の占有面積が広くなっても、下火バーナを設けずに両面焼き機能を十分に得ることができる。
【０００９】
また、本発明において、受熱板部は、少なくとも上部が上方に向かって横方向外側に傾斜していることが望ましい。これによれば、受熱板部に熱源からの輻射熱が入射されやすくなり、被調理物の下方からの加熱効率が向上する。
【００１０】
更に、本発明において、焼皿は、被調理物載置部と各受熱板部との間に、被調理物載置部よりも下方に窪んだ窪み部を有していることが望ましい。これによれば、被調理物から滲み出る焼き汁が窪み部に流れて、被調理物載置部に溜まることがなく、更に、窪み部に熱源からの輻射熱が入射されて、被調理物の下方からの加熱効率が一層向上する。
【図面の簡単な説明】
【００１１】
【図１】本発明の実施形態のグリルの斜視図。
【図２】実施形態のグリルの切断側面図。
【図３】図２のＩＩＩ−ＩＩＩ線で切断した断面図。
【図４】実施形態のグリルのグリル扉と焼皿の斜視図。
【発明を実施するための形態】
【００１２】
図１乃至図３を参照して、Ａは、図示省略したガスコンロに組み込む本発明の実施形態のグリルを示している。このグリルＡは、コンロ本体（図示せず）内に設置されるグリル庫１と、グリル庫１の前面開口を開閉するグリル扉２と、グリル庫１内の上部から下方に向けて熱を輻射する熱源としての上火バーナ３とを備えている。
【００１３】
上火バーナ３は、前部と左右両側部とに多数の炎孔３１ａを形成した燃焼板３１を有している。そして、燃焼板３１を下向きにした姿勢でグリル庫１の天井部に上火バーナ３を装着し、燃焼板３１から熱（赤外線）が下方に向けて輻射されるようにしている。尚、上火バーナ３には、その側部に接続される混合管３２から混合気が供給される。また、グリル庫１の天井部の後端部には、上火バーナ３の燃焼排ガスを庫外に排出する排気口１１が設けられている。
【００１４】
グリル庫１内の下部には、被調理物ａを直置きする金属製の焼皿４が設置されている。図４を参照して、焼皿４の前端には、上方にのびる左右一対の爪片４１，４１が突設されている。そして、各爪片４１をグリル扉２の裏板２１に左右一対に形成した各係止孔２２に挿入すると共に、裏板２１の横方向中央部の下部に取り付けた皿受片２３に、図２に示す如く焼皿４の前端部の横方向中央部を載せている。これにより、焼皿４がグリル扉２に連結され、グリル扉２を前方に開くことで、焼皿４がグリル庫１の前方に引き出される。
【００１５】
焼皿４の横方向両側には、上方にのびる受熱板部４３が設けられている。そして、上火バーナ３からの輻射熱の一部が受熱板部４３に入射されるようにしている。尚、受熱板部４３に輻射熱が十分に入射されるようにするには、受熱板部４３を、焼皿４の被調理物載置部４２から熱源の熱輻射部たる燃焼板３１までの高さの１／２以上の高さまで上方にのばす必要がある。また、焼皿４の被調理物載置部４２には、前後方向を波長方向とする波形の凹凸を付けて、被調理物ａの焦げ付きを防止できるようにしている。
【００１６】
以上の構成によれば、被調理物ａが上火バーナ３からの輻射熱により上方から加熱されると共に、上火バーナ３からの輻射熱の一部が入射される受熱板部４３からの熱伝導により焼皿４の被調理物載置部４２が高温になって、被調理物ａが下方からも加熱される。従って、焼皿４上の被調理物ａの占有面積が広くなっても、下火バーナを設けずに、両面焼き機能を十分に得ることができる。
【００１７】
更に、本実施形態では、受熱板部４３の上部を、上方に向かって横方向外側に傾斜させている。これによれば、受熱板部４３に上火バーナ３からの輻射熱が入射されやすくなり、被調理物ａの下方からの加熱効率が向上する。尚、受熱板部４３全体を上方に向かって横方向外側に傾斜させてもよい。
【００１８】
また、本実施形態の焼皿４は、被調理物載置部４２と各受熱板部４３との間に、被調理物載置部４２よりも下方に窪んだ窪み部４４を有している。これによれば、被調理物ａから滲み出る焼き汁が窪み部４４に流れて、被調理物載置部４２に溜まることがなく、良好に焼成調理を行うことができる。更に、窪み部４４に上火バーナ３からの輻射熱が入射されて、被調理物ａの下方からの加熱効率が一層向上する。
【００１９】
尚、焼皿４は、受熱板部４３からの熱伝導を促進する上で、アルミ等の熱伝導率の高い金属製で３ｍｍ程度の厚さのものとすることが望ましい。
【００２０】
以上、本発明の実施形態について図面を参照して説明したが、本発明はこれに限定されない。例えば、上記実施形態では、グリル庫１内の上部から下方に向けて熱を輻射する熱源をグリル庫１の天井部に装着した上火バーナ３で構成しているが、グリル庫１の天井部に配置した輻射体と輻射体を加熱赤熱させるバーナとで熱源を構成し、或いは、グリル庫１の天井部に配置した電気ヒータで熱源を構成することも可能である。また、上記実施形態は、ガスコンロに組み込むグリルＡに本発明を適用したものであるが、ガスコンロとは分離独立して設けるグリルにも同様に本発明を適用できる。
【符号の説明】
【００２１】
Ａ…グリル、１…グリル庫、３…上火バーナ（熱源）、３１…燃焼板（熱輻射部）、４…焼皿、４２…被調理物載置部、４３…受熱板部、４４…窪み部。
【図１】
0006521814.tif 000002
【図２】
0006521814.tif 000003
【図３】
0006521814.tif 000004
【図４】
0006521814.tif 000005